(57)【要約】【課題】治療行為を行う際に、歯科治療用椅子のバックレストを倒した状態であっても、術者が、治療体勢を崩さずに、目線の移動だけで、フットコントローラと自身の足の位置を確認することができる歯科用治療ユニットを提供する。【解決手段】バックレストの背面側等にカメラを設け、該カメラにより、フットコントローラと術者の足の相対的な位置関係を識別可能に撮影し、バックレストが倒れる動作を開始するのと連動して、撮影された画像をモニタに表示する。【選択図】図１
2018086172.tif 000002
【特許請求の範囲】
【請求項１】
座面と該座面に対して起倒可能に取り付けられたバックレストと前記座面を支持する下台を備える歯科治療用椅子と、モニタと、歯科用治療機器を操作するためのフットコントローラとを有する歯科用治療ユニットであって、
前記歯科治療用椅子の外表面の一部にカメラを有し、該カメラにより撮影される映像を前記モニタが表示することを特徴とする歯科用治療ユニット。
【請求項２】
前記バックレストの背面側または前記下台における前記バックレスト側の側面に前記カメラを有することを特徴とする請求項１に記載の歯科用治療ユニット。
【請求項３】
前記カメラは、前記下台に対し前記バックレスト側の床面に設置された前記フットコントローラおよび該フットコントローラを操作する者の足の相対的な位置関係を識別可能に撮影することを特徴とする請求項１または２に記載の歯科用治療ユニット。
【請求項４】
前記バックレストが略直立した状態から倒れる動作を開始すると、前記カメラにより撮影される映像を前記モニタが表示することを特徴とする請求項１から３のいずれか１に記載の歯科用治療ユニット。
【請求項５】
前記フットコントローラによる操作を開始すると、前記モニタが表示する映像が、前記カメラにより撮影される映像以外の映像に切り替わることを特徴とする請求項４に記載の歯科用治療ユニット。
【請求項６】
前記フットコントローラによる操作以外の操作により、前記モニタが表示する映像が、前記カメラにより撮影される映像以外の映像に切り替わることを特徴とする請求項４に記載の歯科用治療ユニット。
【発明の詳細な説明】
【技術分野】
【０００１】
本発明は歯科用治療ユニットに関する。
【背景技術】
【０００２】
周知のように、歯科治療にあたり、患者は歯科治療用椅子の座面に座り、背をバックレストにもたれさせて治療を受ける。術者は、バックレストを倒起動させて、患者を治療しやすい姿勢にし、歯牙の切削等の治療を行う。座面を支持する下台に対しバックレスト側の床面には、通常、フットコントローラが設置され、術者はハンドピース等の歯科用治療機器をフットコントローラにより操作する。
【０００３】
歯科治療用椅子を動作させるに際しては、患者に不慮の事故が生じる虞があり、これを回避する手段を設けることが行われている。例えば、特許文献１には、侵入物体検出用センサを備え、姿勢制御時の背もたれ等の移動によって生ずる間隙に対し、人体を含む侵入物体を非接触で検出し、特に間隙が狭小になってゆくときに人体が挟まれる事故等を未然に防止することが可能な歯科用チェアユニットが開示されている。
【０００４】
また、特許文献２には、診療台に支持された患者を撮影するカメラを備え、患者が本来意図されている姿勢でない異常姿勢にあることを検出し、診療台の背凭れと座面の間等にある可動部が駆動するときに、患者の手や足が挟まれたり、巻き込まれたりする虞を防止することが可能な医療用診療装置が開示されている。
【先行技術文献】
【特許文献】
【０００５】
【特許文献１】特開２００５−１７７１３１号公報
【特許文献２】特許第５６４７０４９号公報
【発明の概要】
【発明が解決しようとする課題】
【０００６】
ところで、歯科治療において、術者は、通常、下台に対してバックレストのある側から歯科治療用椅子に着座した患者に対し治療行為を行う。しかし、患者を治療しやすい姿勢にするためにバックレストを倒した状態にすると、倒されたバックレストの死角になって、術者は、治療体勢を保ったまま、バックレスト側の床面に設置されたフットコントローラおよび該フットコントローラを操作する術者自身の足（特に、つま先）を視認することができなくなる。
【０００７】
そのため、術者は、治療体勢を一旦崩してフットコントローラを直接視認する必要があり、バックレストを倒すタイミングでその都度、頻繁に患者から目を離さなければならず、作業効率を低下させていた。それを避けるために、術者が治療体勢を変えずに足を探り動かすことで、足元の感触によりフットコントローラの位置を特定しようとすると、スイッチの踏み間違い等により、フットコントローラで誤った操作を行う虞があり、治療行為の正確性、安全性を担保する上で問題があった。
【０００８】
また、近年、マイクロスコープを使用する治療の機会が増えるに従い、歯科治療用椅子の近傍には、術者から視認可能な位置にモニタが設置され、モニタにはマイクロスコープの映像等を含む歯科治療に必要な情報が表示できるようになっている。マイクロスコープを用いた治療では、術者が体勢を固定したまま治療をすることが多くなり、治療体勢を変えずに目線の移動だけでフットコントローラの位置を確認できる技術に対する要請は高まっている。しかしながら、特許文献１に記載の歯科用チェアユニットおよび特許文献２に記載の医療用診療装置は、いずれも、可動部を備えた診療台に着座した患者の不慮の事故を防ぎ、その安全性を向上させるものであるが、これらの問題を解決するものではない。
【０００９】
本発明は、このような実情に鑑みてなされたものであり、術者が治療体勢を崩すことなく、目線の移動だけでフットコントローラおよび自身の足が置かれた位置を確認することが可能な歯科用治療ユニットを提供することをその目的とする。
【課題を解決するための手段】
【００１０】
上記課題を解決するために、請求項１の発明は、座面と該座面に対して起倒可能に取り付けられたバックレストと前記座面を支持する下台を備える歯科治療用椅子と、モニタと、歯科用治療機器を操作するためのフットコントローラとを有する歯科用治療ユニットであって、前記歯科治療用椅子の外表面の一部にカメラを有し、該カメラにより撮影される映像を前記モニタが表示することを特徴とするものである。
【００１１】
請求項２の発明は、請求項１の発明において、前記バックレストの背面側または前記下台における前記バックレスト側の側面に前記カメラを有することを特徴とするものである。
【００１２】
請求項３の発明は、請求項１または２の発明において、前記カメラは、前記下台に対し前記バックレスト側の床面に設置された前記フットコントローラおよび該フットコントローラを操作する者の足の相対的な位置関係を識別可能に撮影することを特徴とするものである。
【００１３】
請求項４の発明は、請求項１から３のいずれか１の発明において、前記バックレストが略直立した状態から倒れる動作を開始すると、前記カメラにより撮影される映像を前記モニタが表示することを特徴とするものである。
【００１４】
請求項５の発明は、請求項４の発明において、前記フットコントローラによる操作を開始すると、前記モニタが表示する映像が、前記カメラにより撮影される映像以外の映像に切り替わることを特徴とするものである。
【００１５】
請求項６の発明は、請求項４の発明において、前記フットコントローラによる操作以外の操作により、前記モニタが表示する映像が、前記カメラにより撮影される映像以外の映像に切り替わることを特徴とするものである。
【発明の効果】
【００１６】
本発明によれば、歯科治療用椅子の一部に設けられたカメラにより撮影される映像によって、フットコントローラがバックレストの死角にあっても、術者は治療体勢を保ったまま目線の移動のみでフットコントローラと自身の足が置かれた位置を確認することができ、作業効率を下げずに治療に専念するとともに、足元の感触でフットコントローラを探し、その操作を試みることによる誤操作の発生を防ぎ、マイクロスコープの使用等による治療体勢の固定化にも対応することができる。
【図面の簡単な説明】
【００１７】
【図１】本発明の一実施形態に係る歯科用治療ユニットの全体図である。
【図２】本発明の一実施形態に係る歯科用治療ユニットが備えるモニタがフットコントローラおよび術者の足の一部を表示している状態を示す図である。
【図３】本発明の一実施形態に係る歯科用治療ユニットにおける、モニタ表示のためのシステム構成のブロック図である。
【図４】本発明の一実施形態に係る歯科用治療ユニットの側面図である。
【発明を実施するための形態】
【００１８】
以下、図面を参照しながら、本発明の歯科用治療ユニットに係る好適な実施の形態について説明する。以下の説明において、異なる図面においても同じ符号を付した部材は同じものであるとして、その説明を省略する場合がある。
【００１９】
図１は、本発明の一実施形態に係る歯科用治療ユニット１０の全体図である。歯科用治療ユニット１０は、歯科治療用椅子２０と、フットコントローラ３０と、モニタ４０とを有し、歯科治療用椅子２０は、座面２２と、座面２２に対して起転可能に取り付けられたバックレスト２１と、座面２２を支持する下台２３を備えている。フットコントローラ３０は、通常、下台２３に対しバックレスト２１側の床面に設置され、下台２３等の歯科用治療ユニット１０の一部に内蔵された図示しないユニット制御システムと接続ケーブル３１を介して接続される。フットコントローラ３０とユニット制御システムとの接続は、このような有線通信に接続形態が限定されるものではなく、赤外線等による無線通信を用いて接続ケーブル３１のない構成としてもよい。
【００２０】
バックレスト２１の背面側には、バックレスト２１が倒されたときに、フットコントローラ３０およびフットコントローラ３０を操作しようとする術者の足の一部（少なくともつま先部分）を含む範囲を撮影することができる位置にカメラ２４が設けられている。当該範囲を撮影することができれば、カメラ２４が設けられる位置は、上記のバックレスト２１の背面側に限定されず、例えば、下台２３におけるバックレスト２１側の側面でもよい。
【００２１】
座面２２に着座する患者から見て下台２３の左手には、無影灯６１およびスピットン６２を備える給排水ボックス６０が設置され、無影灯６１を可動自在に支える支柱の下部には、モニタ４０を支持するためのアーム４２が取り付けられている。アーム４２は可動部を有し、その先端に取り付けられたモニタ４０を術者が確認しやすい位置に移動することが可能となっている。ただし、モニタ４０は、アーム４２によって支持される構成とせずに、単独で術者が確認しやすい位置に設置されてもよい。
【００２２】
図２は、本発明の一実施形態に係る歯科用治療ユニット１０が備えるモニタ４０がフットコントローラ３０および術者の足の一部を表示している状態を示す図である。本来、カメラ２４により撮影される映像をモニタ４０がそのまま表示すると、撮影画像４１を１８０度反転させた映像になり、術者の足が画面上部に左右反転状態で表示されることになる。しかし、そうした映像では、術者がモニタ４０に目線を移動して、フットコントローラ３０と自身の足の相対的な位置関係を瞬時に把握することが難しくなる。
【００２３】
そこで、モニタ４０は、バックレスト２１を起立させたときにカメラ２４により撮影される映像を１８０度反転させて表示し、フットコントローラ３０のスイッチがモニタ４０の画面下部に来るようにして、フットコントローラ３０と術者の足との相対的な位置関係を術者が把握しやすいようにしている。こうした表示は、画像処理により電子的に実現し得るが、単に、バックレスト２１を起立させたときの上下位置とは逆に、バックレスト２１の背面側等にカメラ２４を設置することで、物理的にも実現し得る。
【００２４】
また、撮影画像４１は、上述のように、術者がフットコントローラ３０と自身の足の相対的な位置関係を把握できるものであれば足り、例えば、広角度の撮影を行うためにカメラ２４が魚眼レンズを備え、撮影画像４１が全体的に歪んだ表示となっていてもよく、さらに、術者による確認を容易とするために、何らかの強調表示がなされたものであってもよい。
【００２５】
図３は、本発明の一実施形態に係る歯科用治療ユニット１０における、モニタ表示のためのシステム構成のブロック図である。まず、術者が使用しているマイクロスコープ５０を通じてマイクロスコープ撮影装置５１により撮影される画像データが、歯科用治療ユニット１０内の画像切換インターフェース１２に送信され、モニタ４０に出力されているものとして説明する。なお、バックレスト２１の起立時において、モニタ４０が表示している映像は、レントゲン画像等、他の歯科治療に必要な情報であってもよい。
【００２６】
本実施形態では、バックレスト２１の起立時には、バックレスト２１の背面側等に取り付けられたカメラ２４により撮影される画像データも画像切換インターフェース１２に送信されるが、この時点では、モニタ４０に出力されない。しかし、バックレスト２１の起立時には、カメラ２４を動作させず、バックレスト２１が傾倒動作に入った際に、カメラ２４を動作させるようにしてもよい。
【００２７】
そして、図示しないバックレスト駆動部がバックレスト２１を倒す動作を開始したことをユニット制御システム１１が検知すると、ユニット制御システム１１は画像切換インターフェース１２に画像切替信号を送信し、同信号を受信した画像切換インターフェース１２は、モニタ４０に出力される映像を、カメラ２４により撮影される画像データによる映像に切り替える。なお、ユニット制御システム１１が画像切換インターフェース１２に画像切替信号を送信するのは、バックレスト２１が略直立した状態から倒れ始めた直後でも、同状態から一定の角度まで倒れたことを検知した時でもよい。
【００２８】
この状態で、術者がフットコントローラ３０を操作すると、フットコントローラ３０はユニット制御システム１１にフットコントローラ入力信号を送信し、同信号を受信したユニット制御システム１１は画像切換インターフェース１２に画像切換信号を送信する。同信号を受信した画像切換インターフェース１２は、モニタ４０に出力される映像を、当初のマイクロスコープ撮影装置５１により撮影される画像データによる映像に切り替える。
【００２９】
また、緊急時等、術者によるフットコントローラ３０の操作を待たずに、モニタ４０に出力される映像を、カメラ２４により撮影される画像データ以外の画像データによる映像に切り替えることが必要となる場合もある。その場合、フットコントローラ３０による操作以外の操作でモニタ４０に出力される映像の切り替えを図示しないスイッチ等により可能としてもよい。なお、カメラ２４により撮影される画像データ以外の画像データとして、マイクロスコープ撮影装置５１により撮影される画像データを前提に説明してきたが、単なる例示であり、これに限定されない。
【００３０】
図４は、バックレスト２１の起倒前後の状態を示す、本発明の一実施形態に係る歯科用治療ユニット１０の側面図である。同図に示す通り、バックレスト２１が略直立し、患者７０が歯科治療用椅子２０から立ち上がれる状態にあるとき、術者７１は、フットコントローラ３０および自身の足の位置を視認することができる。
【００３１】
一方、術者７１が患者７０を治療しやすい姿勢にするために一旦、バックレスト２１が倒されると、バックレスト２１による死角ができ、術者７１は、治療体勢を崩すことなく、フットコントローラ３０および自身の足の位置を視認することが出来なくなる。
【００３２】
しかし、バックレスト２１の背面側に設けられたカメラ２４により、死角となる範囲を撮影することが可能であることから、術者７１は、治療体勢を保ったまま、目線をモニタ４０に移動するだけで、フットコントローラ３０および自身の足の位置を確認することができる。
【００３３】
以上のように、本発明は歯科用治療ユニットにおいて、歯科治療用椅子の一部に設けられたカメラにより撮影される映像によって、フットコントローラがバックレストの死角にあっても、術者は治療体勢を保ったまま目線の移動のみでフットコントローラと自身の足が置かれた位置を確認することができ、作業効率を下げずに治療に専念するとともに、足元の感触でフットコントローラを探し、その操作を試みることによる誤操作の発生を防ぎ、マイクロスコープの使用等による治療体勢の固定化にも対応することができる。
【符号の説明】
【００３４】
１０…歯科用治療ユニット、１１…ユニット制御システム、１２…画像切換インターフェース、２０…歯科治療用椅子、２１…バックレスト、２２…座面、２３…下台、２４…カメラ、３０…フットコントローラ、３１…接続ケーブル、４０…モニタ、４１…撮影画像、４２…アーム、５０…マイクロスコープ、５１…マイクロスコープ撮影装置、６０…給排水ボックス、６１…無影灯、６２…スピットン、７０…患者、７１…術者。
【図１】
2018086172.tif 000003
【図２】
2018086172.tif 000004
【図３】
2018086172.tif 000005
【図４】
2018086172.tif 000006